(57)【要約】追加の逆方向リンクを割り当てるか否かをネットワークにより一層効率的に決定できるようにする方法及び装置が提供される。セッション開始時に提供される情報及び周期的に提供される情報に基礎して移動端末機の伝送電力または電力ヘッドルーム(ｈｅａｄｒｏｏｍ)をネットワークにより決定できるようにする多様な方法が提示される。移動端末機に割り当てられる追加の逆方向リンクの数は移動端末機の伝送電力及びヘッドルームから評価することができる。【選択図】図１３
2009515415.tif 000002
【特許請求の範囲】
【請求項１】
マルチキャリア移動通信システムにおけるチャンネルを割り当てる方法であって、
通信セッションの初期化時のネットワークに、移動通信端末機の第１の電力関連パラメーターを表示する第１の情報を伝送するステップと、
前記ネットワークに周期的に、前記移動通信端末機の第２の電力関連パラメーターを表示する第２の情報を伝送するステップと、
前記第１及び第２の情報に基礎して追加チャンネルを割り当てるか否かを決定するステップと、を含むことを特徴とするチャンネル割り当て方法。
【請求項２】
前記決定は、追加逆方向リンクチャンネルの割り当てに関することであることを特徴とする請求項１に記載のチャンネル割り当て方法。
【請求項３】
前記第１の情報は、前記移動通信端末機の最大伝送電力、前記移動通信端末機の電力クラス及び前記移動通信端末機の最大電力ヘッドルームの中で一つを含むことを特徴とする請求項１に記載のチャンネル割り当て方法。
【請求項４】
前記第２の情報は、前記移動通信端末機の現在割り当てられた伝送電力、前記移動通信端末機のパイロット伝送電力及び前記移動通信端末機の現在利用可能な余剰電力の中で一つを含むことを特徴とする請求項３に記載のチャンネル割り当て方法。
【請求項５】
前記移動通信端末機のパイロットチャンネル電力及び逆方向リンク制御/フィードバックチャンネル電力とトラフィックチャンネル電力の中で一つに対する前記パイロットチャンネル電力の割合によって、前記逆方向リンク制御/フィードバックチャンネル電力と前記移動通信端末機のトラフィックチャンネル電力との中で一つを決定するステップをさらに含むことを特徴とする請求項４に記載のチャンネル割り当て方法。
【請求項６】
前記逆方向リンク制御/フィードバックチャンネル電力は、データレート制御チャンネル電力とデータソース制御チャンネル電力の中で一つを含むことを特徴とする請求項５に記載のチャンネル割り当て方法。
【請求項７】
前記パイロット電力、前記逆方向リンク制御/フィードバックチャンネル電力及び前記移動通信端末機の前記トラフィックチャンネル電力の中で少なくとも一つによって、前記現在割り当てられた伝送電力を決定するステップをさらに含むことを特徴とする請求項５に記載のチャンネル割り当て方法。
【請求項８】
前記逆方向リンク制御/フィードバックチャンネル電力は、データレート制御チャンネル電力とデータソース制御チャンネル電力の中で一つを含むことを特徴とする請求項７に記載のチャンネル割り当て方法。
【請求項９】
追加チャンネルを割り当てるか否かを決定するステップは、前記第１及び第２の情報に基礎して第３の電力関連パラメーターを表示する第３の情報を決定するステップを含むことを特徴とする請求項１に記載のチャンネル割り当て方法。
【請求項１０】
マルチキャリア移動通信システムにおける逆方向リンクチャンネルを割り当てる方法であって、
通信セッションの初期化時のネットワークに、移動通信端末機の最大伝送電力、前記移動通信端末機の電力クラス及び前記移動通信端末機の最大電力ヘッドルームの中で一つを表示する第１の情報を伝送するステップと、
前記ネットワークに周期的に、前記移動通信端末機の現在伝送電力と前記移動通信端末機の現在利用可能な余剰電力の中で一つを表示する第２の情報を伝送するステップと、
前記第１及び第２の情報に基礎して追加逆方向チャンネルを割り当てるか否かを決定するステップと、を含むことを特徴とする逆方向リンクチャンネル割り当て方法。
【請求項１１】
マルチキャリア移動通信システムにおける逆方向リンクチャンネルを割り当てる方法であって、
通信セッションの初期化時のネットワークに、移動通信端末機の最大伝送電力、前記移動通信端末機の電力クラス及び前記移動通信端末機の最大電力ヘッドルームの中で一つを表示する第１の情報を伝送するステップと、
前記ネットワークに周期的に、前記移動通信端末機の現在割り当てられた伝送電力、前記移動通信端末機のパイロット伝送電力及び前記移動通信端末機の現在利用可能な余剰電力の中で一つを含む第２の情報を伝送するステップと、
前記第１及び第２の情報に基礎して追加逆方向チャンネルを割り当てるか否かを決定するステップと、を含むことを特徴とする逆方向リンクチャンネル割り当て方法。
【請求項１２】
前記第２の情報は、前記移動通信端末機の最大伝送電力とパイロットチャンネル電力のとの間の差またはデータレート制御チャンネル電力、データソース制御チャンネル電力及びトラフィックチャンネル電力の中で一つに対する前記パイロットチャンネル電力の割合を表示することを特徴とする請求項１１に記載の逆方向リンクチャンネル割り当て方法。
【請求項１３】
マルチキャリア移動通信システムで使用する移動端末機であって、
第１の情報及び第２の情報をネットワークに電装する送受信部と、
ユーザーインターフェース情報を表示する表示部と、
ユーザーデータを入力する入力部と、
前記移動通信端末機の第１の電力関連パラメーターを表示する前記第１の情報と前記移動通信端末機の第２の電力関連パラメーターを表示する前記第２の情報とを生成し、通信セッションの初期化時に前記第１の情報をネットワークに伝送する前記送受信部を制御し、追加チャンネルを割り当てるか否かを前記第１及び第２の情報に基礎して決定するように前記第２の情報を周期的に前記ネットワークに伝送する処理部と、を含むことを特徴とする移動端末機。
【請求項１４】
前記決定は、追加逆方向リンクチャンネルの割り当てに関することであることを特徴とする請求項１３に記載の移動端末機。
【請求項１５】
前記第１の情報は、前記移動通信端末機の最大伝送電力、前記移動通信端末機の電力クラス及び前記移動通信端末機の最大電力ヘッドルームの中で一つを含むことを特徴とする請求項１３に記載の移動端末機。
【請求項１６】
前記第２の情報は、前記移動通信端末機の現在割り当てられた伝送電力、前記移動通信端末機のパイロット伝送電力及び前記移動通信端末機の現在利用可能な余剰電力の中で一つを含むことを特徴とする請求項１３に記載の移動端末機。
【請求項１７】
前記制御部は、前記移動通信端末機のパイロットチャンネル電力及びデータレート制御チャンネル電力、データソース制御チャンネル電力及びトラフィックチャンネル電力の中で一つに対する前記パイロットチャンネル電力の割合によって、前記データレート制御チャンネル電力、前記データソース制御チャンネル電力及び前記トラフィックチャンネル電力の中で一つが決定されるように前記第１及び第２の情報を生成することを特徴とする請求項１６に記載の移動端末機。
【請求項１８】
前記制御部は、前記移動通信端末機の前記データレート制御チャンネル電力、前記データソース制御チャンネル電力及び前記トラフィックチャンネル電力の中で少なくとも一つによって、前記現在割り当てられた伝送電力が決定されるように前記第１及び第２の情報を生成することを特徴とする請求項１７に記載の移動端末機。
【請求項１９】
前記制御部は、前記第１及び第２の情報に基礎して第３の電力関連パラメーターを表示する第３の情報を決定することにより、追加チャンネルを割り当てるか否かを決定するように前記第１及び第２の情報を生成することを特徴とする請求項１３に記載の移動端末機。
【請求項２０】
前記制御部は、前記移動通信端末機の最大伝送電力、前記移動通信端末機の電力クラス及び前記移動通信端末機の最大電力ヘッドルームの中で一つを表示する前記第１の情報を生成し、前記移動通信端末機の現在伝送電力と前記移動通信端末機の現在利用可能な余剰電力の中で一つを表示する前記第２の情報を生成することを特徴とする請求項１３に記載の移動端末機。
【請求項２１】
前記制御部は、前記移動通信端末機の最大伝送電力、前記移動通信端末機の電力クラス及び前記移動通信端末機の最大電力ヘッドルームの中で一つを表示する前記第１の情報を生成し、前記移動通信端末機の最大伝送電力とパイロットチャンネル電力との間の差またはデータレート制御チャンネル電力、データソース制御チャンネル電力及びトラフィックチャンネル電力の中で一つに対する前記パイロットチャンネル電力の割合を表示する前記第２の情報を生成することを特徴とする請求項１３に記載の移動端末機。
【発明の詳細な説明】
【技術分野】
【０００１】
本発明は、ネットワークにより移動端末機の伝送電力をより効率的に決定できる方法及び装置に関する。
【背景技術】
【０００２】
セルラ通信分野で、当業者は１Ｇ、２Ｇ及び３Ｇという用語を使う場合がある。この用語は使われたセルラ技術の世代を指称する。１Ｇは第１の世代を、２Ｇは第２の世代を、そして３Ｇは第３の世代を指称する。
【０００３】
１Ｇは、ＡＭＰＳ(ＡｄｖａｎｃｅｄＭｏｂｉｌｅ Ｐｈｏｎｅ Ｓｅｒｖｉｃｅ)電話システムと知られたアナログ電話システムを指称する。２Ｇは、 一般的に全世界的に使われ、ＣＤＭＡＯｎｅ、ＧＳＭ(ＧｌｏｂａｌＳｙｓｔｅｍ ｆｏｒ Ｍｏｂｉｌｅ ｃｏｍｍｕｎｉｃａｔｉｏｎ)及びＴＤＭＡ(Ｔｉｍｅ Ｄｉｖｉｓｉｏｎ Ｍｕｌｔｉｐｌｅ Ａｃｃｅｓｓ)を含むデジタルセルラシステムを指称する。２Ｇシステムは１Ｇシステムより密集した領域でより多い数のユーザーをサポートすることができる。
【０００４】
３Ｇは、一般的に現在使われるデジタルセルラシステムを指称する。このような３Ｇ通信システムは、多少の重要な差を有しているが概念的には類似である。
【０００５】
図１には、無線通信ネットワークアーキテクチャー１が示されている。加入者は移動局(ＭＳ：Ｍｏｂｉｌｅ Ｓｔａｔｉｏｎ)２を利用してネットワークサービスに接続する。ＭＳ２はハンドヘルド(Ｈａｎｄ−ｈｅｌｄ)セルラフォン、車両に設置された通信ユニット、または固定位置通信ユニットなどの携帯用通信ユニットである。
【０００６】
ＭＳ２の電磁波はノードＢでも知られた基地局(ＢＴＳ：Ｂａｓｅ Ｔｒａｎｓｃｅｉｖｅｒ Ｓｙｓｔｅｍ)３により伝送される。ＢＴＳ３は電波を伝送及び受信するアンテナ及び装備などの無線装置で構成される。ＢＳ６制御機(ＢＳＣ)４は一つ以上のＢＴＳからの伝送を受信する。ＢＳＣ４はＢＴＳ及び移動交換局センター(ＭＳＣ：ＭｏｂｉｌｅＳｗｉｔｃｈｉｎｇ Ｃｅｎｔｅｒ)５または内部ＩＰ網とメッセージを交換することにより各ＢＴＳ３からの無線伝送の制御及び管理を提供する。ＢＴＳ３及びＢＳＣ４はＢＳ６の一部である。
【０００７】
ＢＳ６は回路交換核心網(ＣＳＣＮ：Ｃｉｒｃｕｉｔ Ｓｗｉｔｃｈｅｄ Ｃｏｒｅ Ｎｅｔｗｏｒｋ)７及びパケット交換核心網(ＰＳＣＮ：Ｐａｃｋｅｔ ＳｗｉｔｃｈｅｄＣｏｒｅ Ｎｅｔｗｏｒｋ)８とメッセージを交換するか前記コアーネットワーク７、８にデータを伝送する。ＣＳＣＮ７は伝統的な音声通信を提供し、ＰＳＣＮ８はインターネットアプリケーション及びマルチメディアサービスを提供する。
【０００８】
ＣＳＣＮ(7)の一部である移動交換センター(ＭＳＣ)５は、ＭＳ２の間で伝統的な音声通信用交換を提供し、これら機能(ｃａｐａｂｉｌｉｔｙ)をサポートする情報を保存することができる。ＭＳＣ２は他の公衆網、例えば、公衆電話網(ＰＳＴＮ：Ｐｕｂｌｉｃ Ｓｗｉｔｃｈｅｄ ＴｅｌｅｐｈｏｎｅＮｅｔｗｏｒｋ)(図示せず)または総合情報通信網(ＩＳＤＮ：Ｉｎｔｅｇｒａｔｅｄ Ｓｅｒｖｉｃｅｓ Ｄｉｇｉｔａｌ Ｎｅｔｗｏｒｋ)(図示せず)と一緒に一つ以上のＢＳ６に接続できる。ＶＬＲ(ＶｉｓｉｔｏｒＬｏｃａｔｉｏｎ Ｒｅｇｉｓｔｅｒ)９は訪問加入者の間で音声通信を処理するための情報を検索するに使われる。ＶＬＲ９は、ＭＳＣ５内に位置でき、一つ以上のＭＳＣを担当することができる。
【０００９】
ユーザーＩＤ(ＵｓｅｒＩｄｅｎｔｉｔｙ)は、加入者情報、例えば、ＥＳＮ(Ｅｌｅｃｔｒｏｎｉｃ Ｓｅｒｉａｌ Ｎｕｍｂｅｒ)、ＭＤＮ(Ｍｏｂｉｌｅ Ｄｉｒｅｃｔｏｒｙ Ｎｕｍｂｅｒ)、プロファイル(Ｐｒｏｆｉｌｅ)情報、現在位置及び認証期間などの記録用ＣＳＣＮ７のＨＬＲ(ＨｏｍｅＬｏｃａｔｉｏｎ Ｒｅｇｉｓｔｅｒ)１０に割り当てられる。ＡＣ(Ａｕｔｈｅｎｔｉｃａｔｉｏｎ Ｃｅｎｔｅｒ)１１はＭＳ２に関連された認証情報を管理する。ＡＣ１１はＨＬＲ１０内に位置でき、一つ以上のＨＬＲを担当することができる。ＭＳＣ５とＨＬＲ／ＡＣ１０、１１と間のインターフェースはＩＳ−４１標準インターフェース１８である。
【００１０】
ＰＳＣＮ８の一部であるＰＤＳＮ(Ｐａｃｋｅｔ Ｄａｔａ Ｓｅｒｖｉｎｇ Ｎｏｄｅ)１２はＭＳ２の間でのパケットデータトラフィックのルーティングを提供する。ＰＤＳＮ１２はＭＳ２にリンクレイヤーセッション(ＬｉｎｋＬａｙｅｒ Ｓｅｓｓｉｏｎ)を設定、維持及び終了し、一つ以上のＢＳ６と一つ以上のＰＳＣＮ８とインターフェースすることができる。
【００１１】
認証(Ａｕｔｈｅｎｔｉｃａｔｉｏｎ)、権限付与(Ａｕｔｈｏｒｉｚａｔｉｏｎ)及び課金(Ａｃｃｏｕｎｔｉｎｇ)(ＡＡＡ)１３サーバーはパケットデータトラフィックと関連されたインターネットプロトコルの認証、権限付与及び課金機能を提供する。ＨＡ(ＨｏｍｅＡｇｅｎｔ)１４はＭＳ２のＩＰ登録の認証を提供し、ＰＤＳＮ８のＦＡ(ＦｏｒｅｉｇｎＡｇｅｎｔ)１５コンポネント(ｃｏｍｐｏｎｅｎｔ)の間でパケットデータの経路を再指定(ｒｅｄｉｒｅｃｔ)し、ＡＡＡ１３からユーザーのプロビジョニング(ｐｒｏｖｉｓｉｏｎｉｎｇ)情報を受信する。また、ＨＡ１４はＰＤＳＮ１２に対する保安通信を設定、維持及び終了することができ、動的ＩＰアドレスを割り当てることができる。ＰＤＳＮ１２は内部ＩＰ網を通じてＡＡＡ１３、ＨＡ１４及びインターネット１６と通信する。
【００１２】
多くの種類の多重接続方式、特に、ＦＤＭＡ(Ｆｒｅｑｕｅｎｃｙ Ｄｉｖｉｓｉｏｎ Ｍｕｌｔｉｐｌｅ Ａｃｃｅｓｓ)、ＴＤＭＡ(Ｔｉｍｅ   Ｄｉｖｉｓｉｏｎ Ｍｕｌｔｉｐｌｅ Ａｃｃｅｓｓ)及びＣＤＭＡ(ＣｏｄｅＤｉｖｉｓｉｏｎ Ｍｕｌｔｉｐｌｅ Ａｃｃｅｓｓ)がある。ＦＤＭＡにおいて、ユーザー通信は周波数、例えば、３０ＫＨｚチャンネルを利用して分離される。ＴＤＭＡにおいて、ユーザー通信は周波数と時間、例えば、６タイムスロット(ｔｉｍｅｓｌｏｔ)を有する３０ＫＨｚチャンネルを利用して分離される。ＣＤＭＡにおいて、ユーザー通信はデジタルコードにより分離される。
【００１３】
ＣＤＭＡにおいて、すべてのユーザーは同一なスペクトラム、例えば、１.２５ＭＨｚ上にある。各ユーザーは固有のデジタルコード識別子を有し、このデジタルコードは干渉を防止するためにユーザーを分離する。
【００１４】
ＣＤＭＡ信号は一つのビット情報を伝達するために多数のチップを使用する。各ユーザーは本来コードチャンネルである固有のチップパターンを有する。一つのビットを復旧するために、ユーザーに知られたチップパターンによって多数のチップが統合される。他のユーザーのコードパターンはランダムに表示され、自己削除(ｓｅｌｆ−ｃａｎｃｅｌｉｎｇ)方式で統合されるので、ユーザーの適切なコードパターンによって行われたビットデコーディング決定を妨害しない。
【００１５】
入力データは高速拡散シーケンス(ｆａｓｔ ｓｐｒｅａｄｉｎｇ ｓｅｑｕｅｎｃｅ)と結合されて拡散データストリームとして伝送される。受信機は同一な拡散シーケンスを使用してオリジナルデータを抽出する。図２Ａは、拡散及び逆拡散(ｄｅ−ｓｐｒｅａｄｉｎｇ)処理を示している。図２Ｂに示したように、多重拡散シーケンスは固有のロバスト(ｒｏｂｕｓｔ)チャンネルを生成するように結合することができる。
【００１６】
ワルシコード(Ｗａｌｓｈｃｏｄｅ)は一種の拡散シーケンスである。各ワルシコードはその長さが６４チップであり、他のすべてのワルシコードに正確に直交する。このコードは生成が簡単であり、ＲＯＭ(ＲｅａｄＯｎｌｙ Ｍｅｍｏｒｙ)に保存できるほど充分に小さい。
【００１７】
ショート(ｓｈｏｒｔ)ＰＮコードは他の種類の拡散シーケンスである。ショートＰＮコードは２個のＰＮシーケンス(Ｉ及びＱ)で構成され、各シーケンスはその長さが３２,７６８チップであり、類似であるが異なるようにタップされた(ｔａｐｐｅｄ)１５ビットシフトレジスタで生成される。２個のシーケンスはＩ及びＱ位相チャンネル上に情報をスクランブル(ｓｃｒａｍｂｌｅ)する。
【００１８】
ロング(ｌｏｎｇ)ＰＮコードはまた他の種類の拡散シーケンスである。ロングＰＮコードは４２ビットレジスタで生成され、その長さが４０日以上であるか、約４×１０１３チップである。その長さにより、ロングＰＮコードは端末機内のＲＯＭに保存できないので、チップ・バイ・チップ(ｃｈｉｐ−ｂｙ−ｃｈｉｐ)で生成される。
【００１９】
各ＭＳ２はＰＮロングコード及び固有オフセット(ｕｎｉｑｕｅ ｏｆｆｓｅｔ)、またはシステムにより設定された３２ビットと１０ビットの固有のＥＳＮ(Ｅｌｅｃｔｒｏｎｉｃ Ｓｅｒｉａｌ Ｎｕｍｂｅｒ)を利用してコンピューティングされたパブリックロングコードマスク(ｐｕｂｌｉｃｌｏｎｇ ｃｏｄｅ ｍａｓｋ)を有するその信号をコーディングする。パブリックロングコードマスクは固有シフト(ｕｎｉｑｕｅ ｓｈｉｆｔ)を形成する。プライベート(ｐｒｉｖａｔｅ)ロングコードマスクはプライバシーを強化するために使用できる。６４チップの短い周期にかけて統合される時、異なるロングＰＮコードオフセットを有するＭＳ２は実際に直交を示す。
【００２０】
ＣＤＭＡ通信は順方向チャンネルと逆方向チャンネルを使用する。順方向チャンネルはＢＴＳ３からＭＳ２への信号のために利用され、逆方向チャンネルはＭＳからＢＴＳへの信号のために利用される。
【００２１】
順方向チャンネルはその特定の割り当てられたワルシコードと特定のＰＮオフセットをセクターに対して使用し、一人のユーザーが同時に多数のチャンネル種類を有することができる。順方向チャンネルはそのＣＤＭＡＲＦ搬送周波数、セクターの固有のショートコードＰＮオフセット及びユーザーの固有のワルシコードにより識別される。ＣＤＭＡ順方向チャンネルはパイロットチャンネル、同期(ｓｙｎｃ)チャンネル、ページング(ｐａｇｉｎｇ)チャンネル及びトラフィックチャンネルを含む。
【００２２】
パイロットチャンネルは文字ストリームを含まない“構造的ビーコン(ｓｔｒｕｃｔｕｒａｌ ｂｅａｃｏｎ)”であり、システム獲得(ａｃｑｕｉｓｉｔｉｏｎ)のために使用され、ハンドオフの間測定装置として使用されるタイミングシーケンスである。パイロットチャンネルはワルシコード０を使用する。
【００２３】
同期チャンネルはシステム獲得の間ＭＳ２により使用されたシステム識別及びパラメーター情報のデータストリームを運ぶ。同期チャンネルはワルシコード３２を使用する。
【００２４】
容量要件によって１乃至７のページングチャンネルが存在できる。ページングチャンネルはページ、システムパラメーター情報及び呼設定命令(ｃａｌｌ ｓｅｔｕｐ ｏｒｄｅｒ)を運ぶ。ページングチャンネルはワルシコード１−７を使用する。
【００２５】
トラフィックチャンネルは呼トラフィックを運ぶために各ユーザーに割り当てられる。トラフィックチャンネルはノイズにより制限されたすべての容量に属する残りのすべてのワルシコードを使用する。
【００２６】
逆方向チャンネルはＭＳ２からＢＴＳ３への信号のために利用され、ワルシコード及びＭＳに特定されるロングＰＮシーケンスのオフセットを使用し、一人のユーザーが多数種類のチャンネルを同時に伝送することができる。逆方向チャンネルはそのＣＤＭＡＲＦ搬送周波数及び各ＭＳ２の固有のロングコードＰＮオフセットにより識別される。逆方向チャンネルはトラフィックチャンネル及び接続チャンネルを含む。
【００２７】
各ユーザーは実際呼(ｃａｌｌ)の間トラフィックチャンネルを使用してトラフィックをＢＴＳ３に伝送する。逆方向トラフィックチャンネルは基本的にユーザー特定のパブリックまたはプライベートロングコードマスクであり、ＣＤＭＡ端末機数と同一な数の逆方向トラフィックチャンネルが存在する。
【００２８】
まだ呼に含まれないＭＳ２は接続チャンネルを使用して登録要請、呼設定要請、ページ応答、命令応答及び他のシグナリング(ｓｉｇｎａｌｉｎｇ)情報を伝送する。接続チャンネルは基本的にＢＴＳ３セクター固有のパブリックロングコードオフセットである。接続チャンネルはページングチャンネルと一対であり、各ページングチャンネルは最大３２接続チャンネルを有する。
【００２９】
ＣＤＭＡ通信は多くの利点を提供する。この利点の中で一部は可変レートボコーディング(ｖｏｃｏｄｉｎｇ)及び多重化、順方向電力制御、ＲＡＫＥ受信機の使用及びソフトハンドオフである。
【００３０】
ＣＤＭＡは可変レートボコーダを使用して音声(ｓｐｅｅｃｈ)を圧縮し、ビットレートを減少させて容量を大きく増加させることができる。可変レートボコーディングは話す間フルビットレートを提供し、スピーチを中断する間ロービットレート、増加された容量及び自然的な音を提供する。多重化により音声、シグナリング及びユーザーの２次データをＣＤＭＡフレームに混合することができる。
【００３１】
順方向電力制御を利用することにより、ＢＴＳ３は各ユーザーの順方向基底帯域チップストリームの長さを持続的に減少させる。特定ＭＳ２が順方向リンクに対するエラーを経験する時、より多いエネルギーが要請され、エネルギーが急速に上昇してからさらに減少する。
【００３２】
逆方向電力制御はＢＴＳ３ですべての端末機の信号レベルを同一にするタンデム(ｔａｎｄｅｍ)の３種方式を使用する。逆方向開放ループ電力制御は、受信されたＢＴＳ３信号(ＡＧＣ)に基礎してＭＳ２が電力の上昇または下降を調節することを特徴とする。逆方向閉鎖ループ電力制御は、ＢＴＳ３が秒当たり８００回の速度で１ｄｂずつ電力の上昇または下降を調節することを特徴とする。逆方向外部ループ電力制御は、ＢＳＣがＭＳ２をヒアリング(ｈｅａｒｉｎｇ)する順方向エラー訂正(ＦＥＲ：ＦｏｒｗａｒｄＥｒｒｏｒ Ｃｏｒｒｅｃｔｉｏｎ)問題を有する場合にＢＳＣ４がＢＳT３の設定ポイントを調節することを特徴とする。図３は、３個の逆方向電力制御方法を示す。
【００３３】
受信機ＡＧＣからの開放ループ電力制御とＢＴＳ３による閉鎖ループ電力制御が結合された効果を含むＭＳ２伝送機(ＴＸＰＯ)の実際ＲＦ電力出力は、通常的に＋２３ｄｂｍであるＭＳの最大電力を超過できない。逆方向電力制御は、数式“ＴＸＰＯ＝−(ＲＸｄｂｍ)−Ｃ＋ＴＸＧＡ”によって実行され、ここで、“ＴＸＧＡ”は呼の開始以後のＢＴＳ３からのすべての閉鎖ループ電力制御命令の和であり、“Ｃ”は８００ＭＨｚシステムに対して＋７３であり、１９００ＭＨｚシステムに対して＋７６である。
【００３４】
ＲＡＫＥ受信機を使用することによりＭＳ２は各フレームごとに３個以上のトラフィック相関器(ｃｏｒｒｅｌａｔｏｒ)または“ＲＡＫＥフィンガー(ｆｉｎｇｅｒ)”の結合された出力を使用することができる。各ＲＡＫＥフィンガーは特定ＰＮオフセット及びワルシコードを独立的に復旧することができる。フィンガーは他のＢＴＳ３の遅延された多重経路反射(ｒｅｆｌｅｃｔｉｏｎ)に対してターゲットになることができ、探索器は持続的にパイロット信号を点検する。図４は、ＲＡＫＥ受信機の使用を示す。
【００３５】
ＭＳ２はソフトハンドオフを操る。ＭＳ２は利用可能なパイロット信号を持続的に点検して現在注視しているパイロット信号に対してＢＴＳ３に報告する。ＢＴＳ３は最大６個のセクターを割り当て、これによってＭＳ２はそのフィンガーを割り当てる。ＡＩ(Ａｉｒ Ｉｎｔｅｒｆａｃｅ)メッセージはミュティング(ｍｕｔｉｎｇ)なしにディム−アンド−バースト(ｄｉｍ−ａｎｄ−ｂｕｒｓｔ)により伝送される。通信リンクの各端部は、ユーザーに明確なハンドオフで、フレーム別に最高の構成を選択する。
【００３６】
ＣＤＭＡ２０００システムは第３世代(３Ｇ)広帯域、すなわち、インターネットとイントラネット接続、マルチメディアアプリケーション、高速ビジネストランザクション及び遠隔測定などのデータ機能を容易にするＣＤＭＡ技術の向上されたサービスポテンシャーを(ｐｏｔｅｎｔｉａｌ)を使用する拡散スペクトラム無線インターフェースシステムである。他の３世代システムと同様に、ＣＤＭＡ２０００はネットワーク経済性と限定された数の無線スペクトラム利用可能性の限界を克服する無線伝送設計に関心が集中される。
【００３７】
図４は、ＣＤＭＡ２０００無線ネットワークのデータリンクプロトコルアーキテクチャーレイヤー２０を示す。データリンクプロトコルアーキテクチャーレイヤー２０は上位レイヤー６０、リンクレイヤー３０及び物理レイヤー２１を含む。
【００３８】
上位レイヤー６０は３個のサブレイヤー、すなわち、データサービスサブレイヤー６１、音声サービスサブレイヤー６２及びシグナリングサービスサブレイヤー６３を含む。データサービス６１は移動端末機のユーザーの代りに任意形態のデータを伝達するサービスであり、ＩＰサービスなどのパケットデータアプリケーション、非同期ファックス及びＢ−ＩＳＤＮエミュレーションサービス(ｅｍｕｌａｔｉｏｎ ｓｅｒｖｉｃｅ)などの回路データアプリケーション及びＳＭＳを含む。音声サービス６２はＰＳＴＮ接続、移動端末機間(ｍｏｂｉｌｅ−ｔｏ−ｍｏｂｉｌｅ)音声サービス及びインターネット電話を含む。シグナリング６３はすべての様相の移動操作を制御する。
【００３９】
シグナリングサービスサブレイヤー６３はＭＳ２とＢＳ６との間で交換されたすべてのメッセージを処理する。これらメッセージは呼設定及び接続解除、ハンドオフ、特徴駆動(ｆｅａｔｕｒｅ ａｃｔｉｖａｔｉｏｎ)、システム構成、登録及び認証などの機能を制御する。
【００４０】
また、ＭＳ２において、シグナリングサービスサブレイヤー６３は、呼処理状態、特に、ＭＳ２の初期化状態、ＭＳ２の待機状態、システム接続状態及びトラフィックチャンネル状態に対するＭＳ２制御の維持を担当する。
【００４１】
リンクレイヤー３０は、ＬＡＣ(Ｌｉｎｋ Ａｃｃｅｓｓ Ｃｏｎｔｒｏｌ)サブレイヤー３２とＭＡＣ(Ｍｅｄｉｕｍ Ａｃｃｅｓｓ Ｃｏｎｔｒｏｌ)サブレイヤー３１に細分される。リンクレイヤー３０はデータ運搬サービス用プロトコルサポート及び制御メカニズムを提供し、上位レイヤー６０のデータ運搬要求を物理レイヤー２１の特定機能及び特性にマッピングするために必要な機能を実行する。リンクレイヤー３０は上位レイヤー６０と物理レイヤー２０との間のインターフェースとして考えられる。
【００４２】
ＭＡＣ３１とＬＡＣ３２サブレイヤーの分離は、広い範囲の上位レイヤー６０をサポートする必要性と広い実行範囲、特に、１.２Ｋｂｐｓから２Ｍｂｐｓ以上の範囲にかけて高い効率及び低い待機時間(ｌａｔｅｎｃｙ)データサービスを提供する要件により行われる。他の要因は回路のＱｏＳ(Ｑｕａｌｉｔｙｏｆ Ｓｅｒｖｉｃｅ)伝達及び収容可能な遅延の制限及び/またはデータＢＥＲ(ｂｉｔ ｅｒｒｏｒ ｒａｔｅ)などのパケットデータサービスをサポートする必要性と各サービスが異なるＱｏＳ要件を有する高級マルチメディアサービスに対する増加された需要である。
【００４３】
ＬＡＣサブレイヤー３２は点対点(ｐｏｉｎｔ−ｔｏ−ｐｏｉｎｔ)無線伝送リンク４２に対して信頼性あるインシーケンス(ｉｎ−ｓｅｑｕｅｎｃｅ)伝達伝送制御機能を提供するために必要である。ＬＡＣサブレイヤー３２は上位レイヤー６０エンティティーの間の点対点通信チャンネルを管理し、広い範囲の信頼性ある他の終端間(ｅｎｄ−ｔｏ−ｅｎｄ)リンクレイヤー３０プロトコルをサポートするフレームワークを提供する。
【００４４】
ＬＡＣサブレイヤー３２はシグナリングメッセージの正しい伝達を提供する。確認が必要な確かな伝達、確認が必要ない不確実な伝達、重複メッセージ検出、各ＭＳ２にメッセージを伝達するアドレス制御、物理媒体に対する伝送のための適切なサイズへのメッセージの分割、受信されたメッセージの再構成(ｒｅａｓｓｅｍｂｌｙ)と有効化及びグローバルチャレンジ認証の機能が含まれる。
【００４５】
ＭＡＣサブレイヤー３１は各アクティブサービスのためのＱｏＳ管理機能を有する３Ｇ無線システムの複合マルチメディア、マルチサービス機能を容易にする。ＭＡＣサブレイヤー３１は無線システムでの競争ユーザーの間だけではなく、一人のユーザーからの多数のサービスの間での競合制御を含む物理レイヤー２１に、パケットデータと回路データサービスの接続を制御する手続きを提供する。また、ＭＡＣサブレイヤー３１は論理チャンネルと物理チャンネルとの間でマッピングを実行し、一つの物理チャンネルに多数のソースからのデータを多重化し、最善の信頼性のためにＲＬＰ(Ｒａｄｉｏ Ｌｉｎｋ Ｐｒｏｔｏｃｏｌ)３３を利用して無線リンクレイヤーに対して非常に信頼性ある伝送を提供する。ＳＲＢＰ(ＳｉｇｎａｌｉｎｇＲａｄｉｏ Ｂｕｒｓｔ Ｐｒｏｔｏｃｏｌ)３５はシグナリングメッセージのために無接続プロトコルを提供するエンティティーである。多重化及びＱｏＳ制御３４は競争サービスからの紛争要請の仲裁及び接続要請の適切な優先化を通じて交渉されたＱｏＳレベルの強化を担当する。
【００４６】
物理レイヤー２１は無線経由(ｏｖｅｒ ｔｈｅ ａｉｒ)方式で伝達するデータのコーディング及び変調を担当する。物理レイヤー２１はより上位のレイヤーからデジタルデータが移動無線チャンネルに信頼性ある伝送を行うことを条件とする。
【００４７】
物理レイヤー２１はＭＡＣサブレイヤー３１が多数の運搬チャンネルに伝達するユーザーデータとシグナリングを物理チャンネルにマッピングし、その情報を無線インターフェースに伝送する。伝送方向において、物理レイヤー２１により実行された機能は、チャンネルコーディング、インターリビング、スクランブリング、拡散及び変調を含む。受信方向において、その機能は伝送されたデータを受信機で復旧するために反対に実行される。
【００４８】
図５は、呼処理の概要を示す。呼処理はパイロット及び同期チャンネル処理、ページングチャンネル処理、接続チャンネル処理及びトラフィックチャンネル処理を含む。
【００４９】
パイロット及び同期チャンネル処理は、ＭＳ２初期化状態で獲得し、ＣＤＡＭシステムと同期化するパイロット及び同期チャンネルをＭＳ２が処理することを指称する。ページングチャンネル処理は、待機状態でＢＳ６からのオーバーヘッド及び移動志向(ｍｏｂｉｌｅ−ｄｉｒｅｃｔｅｄ)メッセージを受信するページングチャンネルまたはＦ−ＣＣＣＨ(ｆｏｒｗａｒｄ ｃｏｍｍｏｎ ｃｏｎｔｒｏｌｃｈａｎｎｅｌ)をＭＳ２がモニタリングすることを指称する。接続チャンネル処理はシステム接続状態で接続チャンネルまたは拡張(ｅｎｈａｎｃｅｄ)接続チャンネル上のＢＳ６にＭＳ２がメッセージを伝送することを指称し、ＢＳ６はいつもこれらチャンネルをリスニングしてページングチャンネルまたはＦ−ＣＣＣＨ上のＭＳに応答する。トラフィックチャンネル処理は、トラフィックチャンネル状態のＭＳ２制御で専用の順方向及び逆方向トラフィックチャンネルを使用してＢＳ６及びＭＳ２が通信することを指称し、専用の順方向及び逆方向トラフィックチャンネルは音声及びデータなどのユーザー情報を運搬する。
【００５０】
図６は、システム接続状態を示す。システム接続処理の第１の段階は、初期電力レベル及び電力段階増加などの正確な接続チャンネルパラメーターをＭＳ２が利用することを保障するようにオーバーヘッド情報を更新することである。ＭＳ２は接続チャンネルを任意に選択してＢＳ６または他のＭＳとの調整なしに伝送する。このような任意接続手続きにより衝突が発生する。衝突可能性を減少させるために、スロット化された構造の使用、多重接続チャンネルの使用、任意の開始回数の伝送及びインプロイコンジェスチョン、例えば、過負荷クラス(ｏｖｅｒｌｏａｄ ｃｌａｓｓ)の採択などの多くの段階が取られる。
【００５１】
ＭＳ２は接続チャンネル上に要請または応答メッセージを伝送することができる。要請はオリジナルメッセージなどの自動に伝送されたメッセージである。応答はＢＳ６から受信されたメッセージに対する応答として伝送されたメッセージである。例えば、ページ応答メッセージは一般ページメッセージまたは汎用メッセージに対する応答である。
【００５２】
多重化及びＱｏＳ制御サブレイヤー３４は伝送機能と受信機能とを全て有する。伝送機能はデータサービス６１、シグナリングサービス６３または音声サービス６２などの各種ソースからの情報を結合し、伝送のために物理レイヤーＳＤＵ及びＰＤＣＨＣＦＳＤＵを形成する。受信機能は物理レイヤー２１とＰＤＣＨＣＦ ＳＤＵに含まれた情報を分離し、その情報をデータサービス６１、上位レイヤーシグナリング６３または音声サービス６２などの正確なエンティティーに指示する。
【００５３】
多重化及びＱｏＳ制御サブレイヤー３４は物理レイヤー２１と時間的に同期化して動作する。物理レイヤー２１が非ゼロ(ｎｏｎ−ｚｅｒｏ)フレームオフセットで伝送している場合、多重化及びＱｏＳ制御サブレイヤー３４はシステム時間から適切なフレームオフセットで物理レイヤーによる伝送のために物理レイヤーＳＤＵを伝達する。
【００５４】
多重化及びＱｏＳ制御サブレイヤー３４は初期の物理-チャンネル特定サービスインターフェースセットを利用して物理レイヤー２１ＳＤＵを物理レイヤーに伝達する。物理レイヤー２１は物理チャンネル特定受信表示サービスインターフェース動作を利用して物理レイヤーＳＤＵを多重化及びＱｏＳ制御サブレイヤー３４に伝達する。
【００５５】
ＳＲＢＰサブレイヤー３５は同期チャンネル、順方向共同制御チャンネル、放送制御チャンネル、ページングチャンネル及び接続チャンネル手続きを含む。
【００５６】
ＬＡＣサブレイヤー３２は第３のレイヤー６０にサービスを提供する。ＳＤＵは第３のレイヤー６０とＬＡＣサブレイヤー３２の間を通過する。ＬＡＣサブレイヤー３２はＳＤＵの適切なカプセル化(ｅｎｃａｐｓｕｌａｔｉｏｎ)をＬＡＣ ＰＤＵに提供し、これは分割及びリアセンブリにより行われ、カプセル化されたＰＤＵの切れとしてＭＡＣサブレイヤー３１に伝達される。
【００５７】
ＬＡＣサブレイヤー３２内の処理は順次に実行され、処理エンティティーはよく構築された順序にお互いに部分的に形成されたＬＡＣＰＤＵを通過する。ＳＤＵ及びＰＤＵは上位レイヤーが物理チャンネルの無線特徴を分かる必要なしに、機能経路に沿って処理伝達される。しかし、上位レイヤーは物理チャンネルの特徴が分かり、特定ＰＤＵの伝送のために特定物理チャンネルを使用するように第２のレイヤー３０に指示することができる。
【００５８】
１ｘＥＶ−ＤＯシステムはパケットデータサービスに対して最適化され、データ専用の単一１.２５ＭＨｚキャリア(“１”)またはデータ最適化(“ＤＯ”)を特徴とする。さらに、順方向リンクで最大４.９１５２Ｍｂｐｓ及び逆方向リンクで最大１.８４３２Ｍｂｐｓのピークデータレートが存在する。また、１ｘＥＶ−ＤＯシステムは１ｘシステムに分離周波数帯域及びインターネットワーキング(ｉｎｔｅｒｎｅｔｗｏｒｋｉｎｇ)を提供する。図７は、１ｘと１ｘＥＶ−ＤＯに対するＣＤＭＡ２０００の比較を示す。
【００５９】
ＣＤＭＡ２０００システムでは、同時に実行するサービスが存在し、これによって音声及びデータは実際に６１４.４ｋｂｐｓ及び３０７.２ｋｂｐｓの最大データレートで一緒に伝送される。ＭＳ２は音声呼のためにＭＳＣ５と通信してデータ呼のためにＰＤＳＮ１２と通信する。ＣＤＭＡ２０００システムはワルシコードで分離された順方向トラフィックチャンネルに対する可変電力と固定レートを特徴とする。
【００６０】
１ｘＥＶ−ＤＯシステムにおいて、最大データレートは４.９１５２Ｍｂｐｓであり、ＣＳＣＮ７との通信は存在しない。１ｘＥＶ−ＤＯシステムは時分割多重化される一つの順方向チャンネルに対する固定電力と可変レートを特徴とする。
【００６１】
図８は、１ｘＥＶ−ＤＯシステムのアーキテクチャーを示す。１ｘＥＶ−ＤＯシステムにおいて、フレームは１６スロットで構成され、６００スロット/秒で、２６.６７ＭＳの周期、または３２,７６８個のチップを有する。一つのスロットは、長さが１.６６６７ｍｓであり、２０４８個のチップを有する。制御/トラフィックチャンネルは一つのスロットに１６００個のチップを有し、スロットチャンネルは一つのスロットで１９２個のチップを有し、ＭＡＣチャンネルは一つのスロットに２５６個のチップを有する。１ｘＥＶ−ＤＯシステムはより単純でより迅速なチャンネル評価及び時間同期化を容易にする。
【００６２】
図９は、１ｘＥＶ−ＤＯシステムのデフォルトプロトコルアーキテクチャーを示す。図１０は、１ｘＥＶ−ＤＯシステムの非デフォルトプロトコルアーキテクチャーを示す。
【００６３】
１ｘＥＶ−ＤＯシステムのセッションに関連された情報はＭＳ２または接続端末機(ＡＴ)及びエアリンク(ａｉｒｌｉｎｋ)を経てＢＳ６または接続ネットワーク(ＡＮ)により使われた一連のプロトコル、エアリンクを経てＡＴ及びＡＮにより使われたプロトコルの構成及び現在ＡＴ位置の評価を含む。
【００６４】
アプリケーションレイヤーは、メッセージを一度に伝送し、信頼性ある伝達を提供し、メッセージが１回以上再伝送されるようにする。ストリームレイヤーは最大４(デフォルト)または２５５(非デフォルト) アプリケーションストリームを多重化する能力を一つのＡＴ２に提供する。
【００６５】
セッションレイヤーはセッションが相変らず有効であることを保障し、セッションの閉鎖を管理し、初期ＵＡＴＩの割り当て手続きを列挙し、ＡＴアドレスを維持し、且つこれらプロトコルに対するセッション及び構成パラメーターの間に使われるプロトコルを交渉/準備する。
【００６６】
図１１は、１ｘＥＶ−ＤＯ セッションの設定を示す。図１１に示したように、セッションの設定はアドレス構成、接続設定、セッション構成及び交換キーを含む。
【００６７】
アドレス構成はＵＴＡＩ及びサブネットマスクを割り当てるアドレス管理プロトコルを指称する。接続設定は無線リンクを設定する接続レイヤープロトコルを指称する。セッション構成はすべてのプロトコルを構成するセッション構成プロトコルを指称する。交換キーは認証用キーを設定する保安レイヤーでのキー交換プロトコルを指称する。
【００６８】
“セッション”はＡＴ２とＲＮＣとの間の論理通信リンクを指称し、５４時間のデフォルトで数時間の間開放状態を維持する。ＰＰＰセッションも活性化状態の間セッションは持続される。セッション情報はＡＮ６でＲＮＣにより制御及び維持される。
【００６９】
接続が開放される時、ＡＴ２には順方向トラフィックチャンネルが割り当てられ、逆方向トラフィックチャンネル及び逆方向電力制御チャンネルが割り当てられる。単一セッションの間多重接続が発生できる。１ｘＥＶ−ＤＯシステムでは、閉鎖接続及び開放接続の２種の接続状態が存在する。
【００７０】
閉鎖接続はＡＴ２に任意の専用エアリンクリソースが割り当てられない状態及びＡＴ及びＡＮ６の間の通信が接続チャンネルと制御チャンネルの間で実行される状態を指称する。開放接続は、ＡＴ２に順方向トラフィックチャンネルが割り当てられ、逆方向電力制御チャンネルと逆方向トラフィックチャンネルが割り当てられる状態及びＡＴ２とＡＮ６と間の通信が制御チャンネルとともにこれら割り当てられたチャンネルの間でも実行される状態を指称する。
【００７１】
接続レイヤーは開放接続と閉鎖接続及び通信を設定するネットワークの初期獲得を管理する。また、接続レイヤーは開放接続と閉鎖接続の両方での概略的なＡＴ２位置を維持し、開放接続が存在する時ＡＴ２とＡＮ６との間の無線リンクを管理する。
【００７２】
図１２は、接続レイヤープロトコルを示す。図１２に示したように、プロトコルは初期化状態、待機状態及び接続状態を含む。
【００７３】
初期化状態で、ＡＴ２はＡＮ６を獲得して初期化状態プロトコルを活性化させる。待機状態で、閉鎖接続が初期化されて待機状態プロトコルが活性化される。接続状態で、開放接続が初期化されて接続状態プロトコルが活性化される。
【００７４】
初期化状態プロトコルはＡＮ６の獲得と関連されたアクションを行う。待機状態プロトコルはＡＮ６を獲得するが、ルート更新プロトコルを利用してＡＴ位置のトラック維持などの開放接続を有しないＡＴ２と関連されたアクションを行う。接続状態プロトコルはＡＴとＡＮ６との間の無線リンクを管理して閉鎖接続に至る手続きを管理するなどの開放接続を有するＡＴ２と関連されたアクションを行う。ルート更新プロトコルはＡＴ２位置のトラック維持及びＡＴとＡＮ６との間の無線リンク維持と関連されるアクションを行う。オーバーヘッドメッセージプロトコルはＱｕｉｃｋＣｏｎｆｉｇ、ＳｅｃｔｏｒＰａｒａｍｅｔｅｒ及びＡｃｃｅｓｓＰａｒａｍｅｔｅｒメッセージなどの必須パラメーターを制御チャンネルを通じてブロードキャストする。パケット強化(ｃｏｎｓｏｌｉｄａｔｉｏｎ)プロトコルは受信機上にパケット逆多重化を提供するだけではなく、その割り当てられた優先順位とターゲットチャンネルの機能として伝送用パケットを強化して優先化する。
【００７５】
保安レイヤーはキー交換機能、認証機能及び暗号化機能を含む。キー交換機能はトラフィック認証のためのＡＮ２とＡＴ６による手続きを提供する。認証機能は認証及び暗号化用保安キーを交換するＡＮ２とＡＴ６による手続きを提供する。暗号化機能は暗号化トラフィックのためのＡＮ２とＡＴ６による手続きを提供する。
【００７６】
１ｘＥＶ−ＤＯ順方向リンクは電力制御及びソフトハンドオフが全然サポートされないことを特徴とする。ＡＮ６は一定電力で伝送され、ＡＴ２は順方向リンク上で可変レートを要請する。相異なるユーザーが異なる時間にＴＤＭで伝送することが可能なので、一人のユーザーのために相異なるＢＳ６からダイバーシティ伝送を実行しにくい。
【００７７】
ＡＮ６はＡＴ２の逆方向リンク伝送の電力制御のための逆方向電力制御(ＲＰＣ)チャンネルを使用する。逆方向電力制御ビットはＲＰＣチャンネルを通じて６００(１−１/ＤＲＣＬｏｃｋＰｅｒｉｏｄ)ｂｐｓまたは１５０ｂｐｓのデータレートで伝送される。
【００７８】
１ｘＥＶ−ＤＯ逆方向リンクは、ＡＮ６が逆方向電力制御を利用して逆方向リンクを電力制御することができ、一つ以上のＡＮがソフトハンドオフを通じてＡＴ２の伝送を受信できることを特徴とする。さらに、ロングＰＮコードを利用してワルシコードによりチャンネル化される逆方向リンクに対するＴＤＭが存在しない。
【００７９】
移動端末機の伝送伝送電力を決定することによりオーバーヘッドが付加される。伝送電力決定のオーバーヘッドを減少させる従来の一方法は移動端末機がネットワークに周期的にその伝送電力を報告することである。伝送電力決定のオーバーヘッドを減少させる従来の他の方法は、電力ヘッドルーム情報による実際伝送電力またはネットワークにもう報告された移動端末機での余剰(ｌｅｆｔｏｖｅｒ)伝送電力移動端末機に報告することである。
【００８０】
例えば、電力ヘッドルーム情報は要請メッセージ及び/またはルート更新メッセージで報告される。オーバーヘッドを減少させるために、移動端末機は要請メッセージ及び/またはルート更新メッセージにおける電力ヘッドルーム情報によって実際伝送電力を伝送できる。しかし、接続ネットワーク(ＡＮ)６がＡＴ２の最大伝送電力に対してもう分かっている場合、オーバーヘッドは一層減少される。
【００８１】
したがって、移動端末機の伝送電力決定と関連されたオーバーヘッドを減少させるために電力関連情報をネットワークに報告する一層効率的な手段が要求される。本発明はこのような必要性及び他の必要性に起因する。
【発明の開示】
【発明が解決しようとする課題】
【００８２】
本発明の特徴及び利点は次の記述を通じて説明され、その一部はその記述により自明であるか、本発明の実施により習得できる。本発明の目的及び他の利点は添付図面と詳細な説明及び特許請求の範囲で具体的に指摘された構造により達成される。本発明はネットワークが移動端末機の伝送電力をより効率的に決定できるようにする方法及び装置を提供することに関する。
【課題を解決するための手段】
【００８３】
本発明の一様態では、マルチキャリア移動通信システムにおけるチャンネルを割り当てる方法が提供される。前記方法は、通信セッションの初期化時のネットワークに、移動通信端末機の第１の電力関連パラメーターを表示する第１の情報を伝送するステップ、前記ネットワークに周期的に、前記移動通信端末機の第２の電力関連パラメーターを表示する第２の情報を伝送するステップ、及び前記第１及び第２の情報に基礎して追加チャンネルを割り当てるか否かを決定するステップを含む。
【００８４】
前記決定は、追加逆方向リンクチャンネルの割り当てに関することである。また、前記第１の情報は、前記移動通信端末機の最大伝送電力、前記移動通信端末機の電力クラス及び前記移動通信端末機の最大電力ヘッドルームの中で一つを含む。
【００８５】
前記第２の情報は、前記移動通信端末機の現在割り当てられた伝送電力、前記移動通信端末機のパイロット伝送電力及び前記移動通信端末機の現在利用可能な余剰電力の中で一つを含む。また、前記方法は、前記移動通信端末機のパイロットチャンネル電力及び逆方向リンク制御/フィードバックチャンネル電力とトラフィックチャンネル電力の中で一つに対する前記パイロットチャンネル電力の割合によって、前記逆方向リンク制御/フィードバックチャンネル電力と前記移動通信端末機のトラフィックチャンネル電力の中で一つを決定するステップをさらに含む。好ましくは、前記逆方向リンク制御/フィードバックチャンネル電力はデータレート制御チャンネル電力とデータソース制御チャンネル電力の中で一つである。
【００８６】
前記方法は、前記パイロット電力、前記逆方向リンク制御/フィードバックチャンネル電力及び前記移動通信端末機の前記トラフィックチャンネル電力の中で少なくとも一つによって、前記現在割り当てられた伝送電力を決定するステップをさらに含む。また、追加チャンネルを割り当てるか否かを決定するステップは、前記第１及び第２の情報に基礎して第３の電力関連パラメーターを表示する第３の情報を決定するステップを含む。好ましくは、前記逆方向リンク制御/フィードバックチャンネル電力はデータレート制御チャンネル電力とデータソース制御チャンネル電力の中で一つである。
【００８７】
本発明の他の様態では、マルチキャリア移動通信システムにおける逆方向リンクチャンネルを割り当てる方法が提供される。前記方法は、通信セッションの初期化時のネットワークに、移動通信端末機の最大伝送電力、前記移動通信端末機の電力クラス及び前記移動通信端末機の最大電力ヘッドルームの中で一つを表示する第１の情報を伝送するステップ、前記ネットワークに周期的に、前記移動通信端末機の現在伝送電力と前記移動通信端末機の現在利用可能な余剰電力の中で一つを表示する第２の情報を伝送するステップ及び前記第１及び第２の情報に基礎して追加逆方向チャンネルを割り当てるか否かを決定するステップを含む。
【００８８】
本発明のまた他の様態では、マルチキャリア移動通信システムにおける逆方向リンクチャンネルを割り当てる方法が提供される。前記方法は、通信セッションの初期化時のネットワークに、移動通信端末機の最大伝送電力、前記移動通信端末機の電力クラス及び前記移動通信端末機の最大電力ヘッドルームの中で一つを表示する第１の情報を伝送するステップ、前記ネットワークに周期的に、前記移動通信端末機の現在割り当てられた伝送電力、前記移動通信端末機のパイロット伝送電力及び前記移動通信端末機の現在利用可能な余剰電力の中で一つを含む第２の情報を伝送するステップ及び前記第１及び第２の情報に基礎して追加逆方向チャンネルを割り当てるか否かを決定するステップを含む。好ましくは、前記第２の情報は、前記移動通信端末機の最大伝送電力とパイロットチャンネル電力の間の差またはデータレート制御チャンネル電力、データソース制御チャンネル電力及びトラフィックチャンネル電力の中で一つに対する前記パイロットチャンネル電力の割合を表示する。
【００８９】
本発明のまた他の様態では、マルチキャリア移動通信システムで使用する移動端末機が提供される。移動端末機は、第１の情報及び第２の情報をネットワークに電装する送受信部、ユーザーインターフェース情報を表示する表示部、ユーザーデータを入力する入力部及び前記移動通信端末機の第１の電力関連パラメーターを表示する前記第１の情報と前記移動通信端末機の第２の電力関連パラメーターを表示する前記第２の情報を生成し、通信セッションの初期化時に前記第１の情報をネットワークに伝送する前記送受信部を制御し、追加チャンネルを割り当てるか否かを前記第１及び第２の情報に基礎して決定するように前記第２の情報を周期的に前記ネットワークに伝送する処理部を含む。
【００９０】
前記決定は、追加逆方向リンクチャンネルの割り当てに関することである。また、前記第１の情報は、前記移動通信端末機の最大伝送電力、前記移動通信端末機の電力クラス及び前記移動通信端末機の最大電力ヘッドルームの中で一つを含む。
【００９１】
前記第２の情報は、前記移動通信端末機の現在割り当てられた伝送電力、前記移動通信端末機のパイロット伝送電力及び前記移動通信端末機の現在利用可能な余剰電力の中で一つを含む。また、前記制御部は、前記移動通信端末機のパイロットチャンネル電力及びデータレート制御チャンネル電力、データソース制御チャンネル電力及びトラフィックチャンネル電力の中で一つに対する前記パイロットチャンネル電力の割合によって、前記データレート制御チャンネル電力、前記データソース制御チャンネル電力及び前記トラフィックチャンネル電力の中で一つを決定するように前記第１及び第２の情報を生成する。
【００９２】
また、前記制御部は、前記移動通信端末機の前記データレート制御チャンネル電力、前記データソース制御チャンネル電力及び前記トラフィックチャンネル電力の中で少なくとも一つによって、前記現在割り当てられた伝送電力が決定されるように前記第１及び第２の情報を生成する。また、前記制御部は、前記第１及び第２の情報に基礎して第３の電力関連パラメーターを表示する第３の情報を決定することにより追加チャンネルを割り当てるか否かを決定するように前記第１及び第２の情報を生成する。
【００９３】
また、前記制御部は、前記移動通信端末機の最大伝送電力、前記移動通信端末機の電力クラス及び前記移動通信端末機の最大電力ヘッドルームの中で一つを表示する前記第１の情報を生成し、前記移動通信端末機の現在伝送電力と前記移動通信端末機の現在利用可能な余剰電力の中で一つを表示する前記第２の情報を生成する。また、前記制御部は、前記移動通信端末機の最大伝送電力、前記移動通信端末機の電力クラス及び前記移動通信端末機の最大電力ヘッドルームの中で一つを表示する前記第１の情報を生成し、前記移動通信端末機の最大伝送電力とパイロットチャンネル電力の間の差またはデータレート制御チャンネル電力、データソース制御チャンネル電力及びトラフィックチャンネル電力の中で一つに対する前記パイロットチャンネル電力の割合を表示する前記第２の情報を生成する。
【００９４】
本発明に係る前述した課題を解決するための手段の説明と後述する実施形態の説明は、例示であり、説明目的のものであり、本発明のさらなる説明を提供することを意図していることを理解すべきである。
【００９５】
また、これら及び他の実施例は添付された図面を参照する次の実施例の具体的な説明から当業者には自明であろう。本発明は開示された任意の具体的な実施例に限定されない。
【発明を実施するための最良の形態】
【００９６】
本発明は、移動端末機の伝送電力のより効率的な決定を容易にする方法及び装置に関する。本発明では移動端末機に対して例示しているが、好ましくは、通信装置の伝送電力をより効率的に決定することを容易にする場合に本発明を利用できる。
【００９７】
電力ヘッドルームは最大電力と現在パイロット電力(ｃｕｒｒｅｎｔ ｐｉｌｏｔ ｐｏｗｅｒ)に基礎して算定される。電力ヘッドルームと現在パイロット電力が分かれば、追加のキャリア数が算定できる。
【００９８】
セッション設定時にＡＴ２が初期にその最大伝送電力を報告するようにすることにより、ＡＮ６は最大伝送電力と電力ヘッドルーム情報との間の差に基礎してＡＴの実際伝送電力を算定することができる。
【００９９】
本発明は、キャリア当たり伝送電力の測定を必要とする任意のマルチキャリアシステムに適用できる。例えば、本発明の方法は、余剰(ｅｘｔｒａ)ＲＬがＡＴ２により割り当てられてサポート可能であるか否かを決定するに利用することができる。
【０１００】
本発明の一実施例において、ＡＴ２は実際最大伝送電力の代りに、端末機の最大伝送電力に対応するその電力クラス(ｃｌａｓｓ)に報告する。電力クラス情報及び電力ヘッドルームなどの他のインジケーター(ｉｎｄｉｃａｔｏｒ)により実際伝送電力を算定することができる。本発明の他の実施例において、ＡＴ２は実際最大伝送電力の代りにその最大電力ヘッドルーム情報を報告する。
【０１０１】
また、電力ヘッドルーム情報は割合またはｄＢという用語で表現できる、最大電力とパイロット電力の間の差により表示することができる。パイロット対ＤＲＣ(Ｄａｔａ Ｒａｔｅ Ｃｏｎｔｒｏｌ)、パイロット対ＤＳＣ(Ｄａｔａ Ｓｏｕｒｃｅ Ｃｏｎｔｒｏｌ)またはパイロット対トラフィックの割合が分かる場合、ＡＮ６はＡＴ２の実際余剰電力を算定することができる。このような方式で、電力ヘッドルームが多少異なるように定義されても、代わりにパイロット電力を参照して、ＡＴ２の伝送電力を算定することができる。
【０１０２】
図１３は、本発明の一実施例による移動端末機の伝送電力を決定する方法を示す。ステップＳ１００で、第１の電力関連パラメーターがセッション開始時にネットワークに提供される。ステップＳ１０２で、第２の電力関連パラメーターがネットワークに提供される。ステップＳ１０４で、移動端末機の伝送電力が第１及び第２のパラメーターに基礎して決定される。ステップＳ１０６で、所定の週期間隔は第２の電力関連パラメーターをネットワークに周期的に提供するために利用される。
【０１０３】
図１４は、ＭＳまたはＡＴ２のブロック図を示す。ＡＴ２はプロセッサ(またはデジタル信号プロセッサ)１１０、ＲＦモジュール１３５、電力管理モジュール１０５、アンテナ１４０、バッテリー１５５、ディスプレー１１５、キーパッド１２０、メモリー１３０、ＳＩＭカード１２５(選択可能)、スピーカー１４５及びマイクロホン１５０を含む。
【０１０４】
ユーザーは、例えば、キーパッド１２０のボタンを押すとかマイクロホン１５０を利用して音を出すことにより電話番号などの命令情報を入力する。マイクロプロセッサ１１０は電話番号をダイアリングするなどの適切な機能実行に関する命令情報を受信及び処理する。機能を実行するためにＳＩＭ(Ｓｕｂｓｃｒｉｂｅｒ Ｉｄｅｎｔｉｔｙ Ｍｏｄｕｌｅ)カード１２５またはメモリーモジュール１３０から動作データを検索することができる。さらに、プロセッサ１１０はユーザーの嗜好及び便宜上ディスプレー１１５上に命令及び動作情報を表示することができる。
【０１０５】
プロセッサ１１０は、例えば、音声通信データを含む無線信号を伝送するなどの通信を初期化する命令情報をＲＦモジュール１３５に発行する。ＲＦモジュール１３５は無線信号を受信及び伝送する受信機及び送信機を含む。アンテナ１４０は無線信号の伝送及び受信を容易にする。無線信号を受信する時、ＲＦモジュール１３５はプロセッサ１１０により処理する間前記信号を基底帯域周波数に伝達及び変換することができる。処理された信号は、例えば、スピーカー１４５を通じて出力された聞き取り可能とか判読可能な情報に変換される。また、プロセッサ１１０はＣＤＭＡ２０００または１ｘＥＶ−ＤＯシステムに対して本明細書に開示された各種処理を実行するに必要なプロトコル及び機能を含む。
【０１０６】
プロセッサ１１０は移動端末機の伝送電力を決定する本明細書に開示された方法を実行するために適用される。プロセッサ１１０は電力関連パラメーターを生成し、セッション開始時にネットワークに電力関連パラメーターを伝送するようにＲＦモジュール１３５を制御する。
【０１０７】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０１０８】
本発明の追加的な理解のために提供する添付された図面は、本発明の一部として一体化及び構成され、本発明の実施例を例示し、本発明の原理を説明するに寄与する。図面において、類似な構成要素については、同一または類似な図面番号を利用して表示する。
【図１】無線通信ネットワークアーキテクチャーを示す図である。
【図２Ａ】ＣＤＭＡ拡散及び逆拡散処理を示す図である。
【図２Ｂ】多数の拡散シーケンスを利用したＣＤＭＡ拡散及び逆拡散処理を示す図である。
【図３】ＣＤＭＡ逆方向電力制御方法を示す図である。
【図４】ＣＤＭＡ２０００の無線ネットワークのデータリンクプロトコルアーキテクチャーレイヤーを示す図である。
【図５】ＣＤＭＡ２０００の呼処理を示す図である。
【図６】ＣＤＭＡ２０００システムの接続状態を示す図である。
【図７】１ｘ及び１ｘＥＶ−ＤＯに対するＣＤＭＡ２０００の比較を示す図である。
【図８】１ｘＥＶ−ＤＯ無線ネットワークのネットワークアーキテクチャーレイヤーを示す図である。
【図９】１ｘＥＶ−ＤＯデフォルトプロトコルアーキテクチャーを示す図である。
【図１０】１ｘＥＶ−ＤＯ非デフォルトプロトコルアーキテクチャーを示す図である。
【図１１】１ｘＥＶ−ＤＯセッション成立を示す図である。
【図１２】１ｘＥＶ−ＤＯ接続レイヤープロトコルを示す図である。
【図１３】本発明の一実施例による移動端末機の伝送電力を決定する方法を示す図である。
【図１４】移動局または接続端末のブロック図を示す図である。
【図１】
2009515415.tif 000003
【図２Ａ】
2009515415.tif 000004
【図２Ｂ】
2009515415.tif 000005
【図３】
2009515415.tif 000006
【図４】
2009515415.tif 000007
【図５】
2009515415.tif 000008
【図６】
2009515415.tif 000009
【図７】
2009515415.tif 000010
【図８】
2009515415.tif 000011
【図９】
2009515415.tif 000012
【図１０】
2009515415.tif 000013
【図１１】
2009515415.tif 000014
【図１２】
2009515415.tif 000015
【図１３】
2009515415.tif 000016
【図１４】
2009515415.tif 000017
【国際調査報告】
2009515415.tif 000018
2009515415.tif 000019